(57)【要約】【課題】  従来、電柱等にはしごや脚立を架けて上ると不安定となり、転倒して死傷事故が多かった。そのため、特許文献１に記載の方法などが提案されている。しかしながら、特許文献１に記載の方法は、あらかじめ、電柱等の柱径にあわせて調整する必要があるため、確実に把持するためには柱径を測定しておく必要があり、作業に手間がかかる。【解決手段】  本件発明は、上記課題に鑑みなされたものである。  第一の発明は、対象物を挟み込むことができるように、相互に閉じる方向に付勢された一対のアームからなるアーム部と、前記アーム部をはしごに固定するための固定部と、を有するはしご転倒防止装置に関する。【選択図】  図１
2005113382.tif 000002
【特許請求の範囲】
【請求項１】
対象物を挟み込むことができるように、相互に閉じる方向に付勢された一対のアームからなるアーム部と、
前記アーム部をはしごに固定するための固定部と、
を有するはしご転倒防止装置。
【請求項２】
前記一対のアームの先端は、対象物を押し付けることで付勢されたアームが開いて対象物を一対のアーム間に導くことができる対象物導入手段を有する請求項１に記載のはしご転倒防止装置。
【請求項３】
前記対象物導入手段は、回転ローラである請求項２に記載のはしご転倒防止装置。
【請求項４】
前記対象物導入手段は、前記一対のアームの先端に設けられた対象物受入曲面である請求項１から３の何れか一に記載のはしご転倒防止装置。
【請求項５】
前記アームの前記対象物を挟み込む面である挟み込み面は、前記対象物との接触曲面の一部にならった曲面形状である請求項１から４の何れか一に記載のはしご転倒防止装置。
【請求項６】
前記アームの前記対象物を挟み込む面である挟み込み面は、前記対象物に対して相対的に離れる方向への力の印加により前記対象物をアームから開放するための開放面をも有する請求項１から５の何れか一に記載のはしご転倒防止装置。
【請求項７】
前記力の印加のための引っ張り紐手段を有する請求項１から６の何れか一に記載のはしご転倒防止装置。
【請求項８】
前記一対のアームは、その長手方向が、はしごの主柱に対して、略１０５度である請求項１から７の何れか一に記載のはしご転倒防止装置。
【請求項９】
前記固定部は、前記アーム部をはしごの主柱に対して平行方向に折りたたむための折り畳み手段を有する請求項１から８の何れか一に記載のはしご転倒防止装置。
【請求項１０】
前記対象物は、電信柱状物である請求項１から９の何れか一に記載のはしご転倒防止装置。
【請求項１１】
請求項１から１０に記載のはしご転倒防止装置を固定したはしご。
【発明の詳細な説明】
【技術分野】
【０００１】
本件発明は、電柱等に立て掛けるはしごの転倒を防止する、はしご転倒防止装置に関する。
【背景技術】
【０００２】
従来、電柱等にはしごや脚立を架けて上ると不安定となり、転倒して死傷事故が多かった。そのため、特許文献１に記載の方法などが提案されている。
【０００３】
図１４に示すのは、はしごが横ぶれして横に倒れる様子を示したものである。
【０００４】
図１５に示すのは、はしごがうしろに倒れる様子を示したものである。
【特許文献１】特開平８−２５４０９１
【発明の開示】
【発明が解決しようとする課題】
【０００５】
しかしながら、特許文献１に記載の方法は、あらかじめ、電柱等の柱径にあわせて調整する必要があるため、確実に把持するためには柱径を測定しておく必要があり、作業に手間がかかる。
【課題を解決するための手段】
【０００６】
本件発明は、上記課題に鑑みなされたものである。
【０００７】
第一の発明は、対象物を挟み込むことができるように、相互に閉じる方向に付勢された一対のアームからなるアーム部と、前記アーム部をはしごに固定するための固定部と、を有するはしご転倒防止装置に関する。
【０００８】
第二の発明は、前記一対のアームの先端は、対象物を押し付けることで付勢されたアームが開いて対象物を一対のアーム間に導くことができる対象物導入手段を有する第一の発明に記載のはしご転倒防止装置に関する。
【０００９】
第三の発明は、前記対象物導入手段は、回転ローラである第二の発明に記載のはしご転倒防止装置に関する。
【００１０】
第四の発明は、前記対象物導入手段は、前記一対のアームの先端に設けられた対象物受入曲面である第一の発明から第三の発明の何れか一に記載のはしご転倒防止装置に関する。
【００１１】
第五の発明は、前記アームの前記対象物を挟み込む面である挟み込み面は、前記対象物との接触曲面の一部にならった曲面形状である第一の発明から第四の発明の何れか一に記載のはしご転倒防止装置に関する。
【００１２】
第六の発明は、前記アームの前記対象物を挟み込む面である挟み込み面は、前記対象物に対して相対的に離れる方向への力の印加により前記対象物をアームから開放するための開放面をも有する第一の発明から第五の発明の何れか一に記載のはしご転倒防止装置に関する。
【００１３】
第七の発明は、前記力の印加のための引っ張り紐手段を有する第一の発明から第六の発明の何れか一に記載のはしご転倒防止装置に関する。
【００１４】
第八の発明は、前記一対のアームは、その長手方向が、はしごの主柱に対して、略１０５度である第一の発明から第七の発明の何れか一に記載のはしご転倒防止装置に関する。
【００１５】
第九の発明は、前記固定部は、前記アーム部をはしごの主柱に対して平行方向に折りたたむための折り畳み手段を有する第一の発明から第八の発明の何れか一に記載のはしご転倒防止装置に関する。
【００１６】
第十の発明は、前記対象物は、電信柱状物である第一の発明から第九の発明の何れか一に記載のはしご転倒防止装置に関する。
【発明の効果】
【００１７】
簡単な操作で安全を確保できる。
【発明を実施するための最良の形態】
【００１８】
以下に本件発明の実施形態を説明する。実施形態と、請求項との関係はおおむね次のようなものである。
【００１９】
実施形態１は、主に、請求項１、１１などについて説明している。
【００２０】
実施形態２は、主に、請求項２、１１などについて説明している。
【００２１】
実施形態３は、主に、請求項３、１１などについて説明している。
【００２２】
実施形態４は、主に、請求項４、１１などについて説明している。
【００２３】
実施形態５は、主に、請求項５、１１などについて説明している。
【００２４】
実施形態６は、主に、請求項６、１１などについて説明している。
【００２５】
実施形態７は、主に、請求項７、１１などについて説明している。
【００２６】
実施形態８は、主に、請求項８、１１などについて説明している。
【００２７】
実施形態９は、主に、請求項９、１１などについて説明している。
【００２８】
実施形態１０は、主に、請求項１０、１１などについて説明している。
【００２９】
図１に示すのは、本件発明のはしご転倒防止装置をはしごに装着した状態の一例を示す図である。
【００３０】
<<実施形態１>>
【００３１】
<実施形態１の概念>
【００３２】
実施形態１の発明は、対象物を挟み込むことができるように、相互に閉じる方向に付勢された一対のアームからなるアーム部と、アーム部をはしごに固定するための固定部と、を有するはしご転倒防止装置に関する。
【００３３】
<構成要件の明示>
【００３４】
以下に、実施形態１の構成要件を明示する。
【００３５】
図２に示すのは、実施形態１のはしご転倒防止装置０２００の平面図であり、図１を上方から見たときの平面図である。実施形態１のはしご転倒防止装置は、アーム部０２０１と、固定部０２０２とからなる。アーム部は、アーム０２０３、０２０４と、付勢手段０２０５と、からなる。さらに、アーム部は、ベース０２０６を有する構成が一般的である。
【００３６】
<構成の説明>
【００３７】
以下に、実施形態１の構成の説明をする。
【００３８】
（アーム部）
【００３９】
アーム部は、相互に閉じる方向に付勢された一対のアームからなる。アーム部は、さらに、付勢のための付勢手段を有している。付勢手段の両端は、左右の２本のアームに達する。ここで「付勢手段」には、バネ・板バネ・ゴム系材料などの弾性力を利用したもの、シリンダーによる空気圧・油圧・水圧などを利用したもの、電磁石・永久磁石などの磁石力を利用したものが該当する。また、一例として、付勢手段が取り付けられたアームは、ベースに固定され、さらにベースは、固定部に取り付けられる。
【００４０】
図３に示すのは、対象物０３０７を挟み込んだ状態のはしご転倒防止装置０３００の一例を示したものである。はしご転倒防止装置は、アーム部０３０１と、固定部０３０２と、からなる。アーム部は、アーム０３０３、０３０４と、付勢手段０３０５と、ベース０３０６と、からなる。付勢手段が取り付けられたアームは、ベースに固定され、さらにベースは、固定部に取り付けられる。付勢手段の引っ張り力または伸張力を利用することにより、２本のアームが対象物を把持することができる。ここで「対象物」には、円柱、楕円柱、三角柱、四角柱、多角柱、球面状の物体、楕円球状の物体などが該当する。
【００４１】
（固定部）
【００４２】
固定部は、アーム部をはしごに固定する。一例として、固定部は、アーム部のベースに取り付けられる。この固定部によりはしご転倒装置をはしごに固定することで転倒防止機能を有するはしごを得ることができる。
【００４３】
<実施形態１の実施例１>
【００４４】
以下に、実施例１について説明する。
【００４５】
図４に示すのは、実施形態１のはしご転倒防止装置０４００の実施例１である。実施例１のはしご転倒防止装置は、アーム部０４０１と、固定部０４０２とからなる。アーム部は、アーム０４０３、０４０４と、付勢手段０４０５と、ベース０４０６と、軸０４０７、０４０８と、からなる。
【００４６】
２本のアームは、２箇所の軸によりそれぞれベースに固定されている。アームは、軸を中心に回転するため、付勢手段の引っ張り力を利用して、２本のアームとベースにより対象物０４０９をしっかりはしご転倒防止装置に把持することで多少の力で動かないようにすることができる。また、固定部により、はしご転倒防止装置をはしごに固定することができる。付勢手段が最低一つあればよいので経済的である。
【００４７】
<実施形態１の実施例２>
【００４８】
以下に、実施例２について説明する。
【００４９】
図５に示すのは、実施形態１のはしご転倒防止装置０５００の実施例２である。実施例２のはしご転倒防止装置は、アーム部０５０１と、固定部０５０２とからなる。アーム部は、アーム０５０３、０５０４と、付勢手段０５０５と、ベース０５０６と、軸０５０７、０５０８と、からなる。
【００５０】
２本のアームは、２箇所の軸によりそれぞれベースに固定されている。アームは、軸を中心に回転するため、付勢手段の伸張力を利用して、２本のアームとベースにより対象物０５０９をしっかりはしご転倒防止装置に把持することができる。また、固定部により、はしご転倒防止装置をはしごに固定することができる。なお、実施例２は、アーム上において、付勢手段の接触点の位置と軸の位置が実施例１と逆になっている。付勢手段が最低一つあればよいので経済的である点は実施例１と同様である。
【００５１】
<実施形態１の実施例３>
【００５２】
以下に、実施例３について説明する。
【００５３】
図６に示すのは、実施形態１のはしご転倒防止装置０６００の実施例３である。実施例３のはしご転倒防止装置は、アーム部０６０１と、固定部０６０２とからなる。アーム部は、アーム０６０３、０６０４と、付勢手段０６０５、０６０６と、ベース０６０７と、軸０６０８、０６０９と、からなる。２つの付勢手段は、２本のアームにそれぞれ到達する。２つの付勢手段に分けることにより、付勢手段を小型化することができ、ベース上の空き領域を利用することも可能となる。また、２つの付勢手段は、力が対称に加えられるようになっていることが好ましい。
【００５４】
<実施形態１の実施例４>
【００５５】
以下に、実施例４について説明する。
【００５６】
図７に示すのは、実施形態１のはしご転倒防止装置０７００の実施例４である。実施例４のはしご転倒防止装置は、アーム部０７０１と、固定部０７０２とからなる。アーム部は、アーム０７０３、０７０４と、付勢手段０７０５、０７０６と、ベース０７０７と、軸０７０８、０７０９と、からなる。２つの付勢手段は、２本のアームにそれぞれ到達する。２つの付勢手段に分けることにより、付勢手段を小型化することができ、ベース上の空き領域を利用することも可能となる。また、２つの付勢手段は、力が対称に加えられるようになっていることが好ましい点は実施例３と同様である。なお、実施例４は、アーム上において、付勢手段の接触点の位置と軸の位置が実施例３と逆になっている。
【００５７】
<実施形態１の実施例５>
【００５８】
以下に、実施例５について説明する。
【００５９】
図８に示すのは、実施形態１のはしご転倒防止装置０８００の実施例５である。実施例５のはしご転倒防止装置は、アーム部０８０１と、固定部０８０２とからなる。アーム部は、アーム０８０３、０８０４と、付勢手段０８０５、０８０６と、ベース０８０７と、軸０８０８、０８０９と、からなる。２つの付勢手段は、アームが対象物０８１０を挟む側と反対側の２本のアームにそれぞれ達する。ベースの中央の領域を有効に活用したい場合に、ベースの端のせまい領域に板バネや磁石などの付勢手段を設置して、板バネの伸張力や磁石の反発力（例えば、アーム側N極、ベース側N極とする）などを利用して対象物を把持することが可能である。
【００６０】
<実施形態１の実施例６>
【００６１】
以下に、実施例６について説明する。
【００６２】
図９に示すのは、実施形態１のはしご転倒防止装置０９００の実施例６である。実施例６のはしご転倒防止装置は、アーム部０９０１と、固定部０９０２とからなる。アーム部は、アーム０９０３、０９０４と、付勢手段０９０５、０９０６と、ベース０９０７と、軸０９０８、０９０９と、からなる。２つの付勢手段は、アームが対象物０９１０を挟む側と反対側で２本のアームにそれぞれ到達する。ベースの中央の領域を有効に活用したい場合に、ベースの端のせまい領域に磁石などの付勢手段を設置して、磁石の引っ張り力（例えば、アーム側N極、ベース側S極とする）などを利用して対象物を把持することが可能である。
【００６３】
<実施形態１の実施例７>
【００６４】
以下に、実施例７について説明する。
【００６５】
図１０に示すのは、実施形態１のはしご転倒防止装置１０００の実施例７である。実施例７のはしご転倒防止装置は、アーム部１００１と、固定部１００２とからなる。アーム部は、アーム１００３、１００４と、付勢手段１００５、１００６、１００７、１００８と、ベース１００９と、からなる。４つの付勢手段は、２本のアームにそれぞれ２個づつ達する。それぞれのアームには、アームが対象物１０１０を挟む側に１個と、その反対側に１個の付勢手段が達する。図１０のように付勢手段を取り付けることにより、４つの付勢手段の引っ張り力を利用して、２本のアームとベースにより対象物しっかりはしご転倒防止装置に把持することができる。また、固定部により、はしご転倒防止装置をはしごに固定することができる。４つの付勢手段の引っ張り力を利用することにより、対象物を把持する力が増加する。
【００６６】
<実施形態１の実施例８>
【００６７】
以下に、実施例８について説明する。
【００６８】
図１１に示すのは、実施形態１のはしご転倒防止装置１１００の実施例８である。実施例８のはしご転倒防止装置は、アーム部１１０１と、固定部１１０２とからなる。アーム部は、アーム１１０３、１１０４と、付勢手段１１０５、１１０６、１１０７、１１０８と、ベース１１０９と、からなる。４つの付勢手段は、２本のアームにそれぞれ２個づつ達する。それぞれのアームには、アームが対象物１１１０を挟む側に１個と、その反対側に１個の付勢手段が達する。図１１のように付勢手段を取り付けることにより、４つの付勢手段の伸張力を利用して、２本のアームとベースにより対象物しっかりはしご転倒防止装置に把持することができる。また、固定部により、はしご転倒防止装置をはしごに固定することができる。４つの付勢手段の伸張力を利用することにより、対象物を把持する力が増加する。
【００６９】
<その他>
【００７０】
図１２に示すのは、実施形態１のはしご転倒防止装置をはしごの上部に装着し、柱にはしご転倒防止装置のアーム部の開口部（２本のアーム）をあてがっているところを示した図である。
【００７１】
図１３に示すのは、さらに、図１２の状態から柱にはしご転倒防止装置のアーム部の開口部を押し込んで固定しているところを示した図である。
【００７２】
<実施形態１の効果の簡単な説明>
【００７３】
実施形態１のはしご転倒防止装置によれば、電柱などにはしごをしっかり固定できるので、横ぶれして横に倒れることや、うしろに倒れることを防止できる。
【００７４】
<<実施形態２>>
【００７５】
<実施形態２の概念>
【００７６】
実施形態２の発明は、一対のアームの先端は、対象物を押し付けることで付勢されたアームが開いて対象物を一対のアーム間に導くことができる対象物導入手段を有する実施形態１に記載のはしご転倒防止装置に関する。
【００７７】
<構成要件の明示>
【００７８】
以下に、実施形態２の構成要件を明示する。
【００７９】
図１６（ａ）、（ｂ）、（ｃ）に示すのは、実施形態２のはしご転倒防止装置１６００である。実施形態２のはしご転倒防止装置は、アーム部と、固定部と、からなる。アーム部は、アーム１６０１、１６０２と、付勢手段１６０３と、対象物導入手段１６０４と、からなる。なお、アーム部のベースと、固定部は、実施形態１と同様の構成であるので図１６には示していない。図１６（ａ）は、はしご転倒防止装置を対象物１６０４に挿入する直前の状態を示した図である。図１６（ｂ）は、実施形態２のはしご転倒防止装置を対象物に挿入する途中でアームが充分に開いた状態を示した図である。図１６（ｃ）は、はしご転倒防止装置を対象物に挿入する途中で、付勢されたアームが閉じていく状態を示した図である。はしご転倒防止装置は、一対のアームの先端は、対象物を押し付けることで付勢されたアームが開いて対象物を一対のアーム間に導くことができる対象物導入手段を有すること以外は実施形態１と同様なので、その相違点について説明する。
【００８０】
<構成の説明>
【００８１】
以下に、実施形態２の構成の説明をする。
【００８２】
（対象物導入手段）
【００８３】
一対のアームの先端は、対象物を押し付けることで付勢されたアームが開いて対象物を一対のアーム間に導くことができる対象物導入手段を有する。
【００８４】
<実施形態２の実施例１>
【００８５】
実施例１について、図１６に基づいて説明する。
【００８６】
「対象物導入手段」には、図１６に示したような、ほぼ真ん中で折れ曲がる棒状体が該当する。ここで図１６（ａ）に示すように、棒状体の折れ曲がり角度をθとし、図１６（ａ）の状態では、角度θは１８０度より小さい角度であるとする。はしご転倒防止装置を対象物に挿入するにしたがって角度θはだんだん大きくなっていく。角度θが１８０度になるまでは、棒状体のアーム側との接触点はフックがかかったような状態になっており、アームとの接触点近傍を軸として回転することはできるが、アームの長手方向には移動できない構造になっている。図１６（ｂ）は、角度θが１８０度になった状態を示している。さらに、はしご転倒防止装置を対象物に挿入すると、角度θは１８０度より大きくなり、棒状体はフックが解除されてアームの長手方向に移動する（図１６（ｃ）の状態）。このようにして対象物は、付勢されたアームによってはしご転倒防止装置に把持される。
【００８７】
<実施形態２の実施例２>
【００８８】
実施例２について、図１７に基づいて説明する。
【００８９】
図１７（ａ）、（ｂ）、（ｃ）に示すのは、実施例２のはしご転倒防止装置１７００である。実施例２のはしご転倒防止装置は、アーム部と、固定部と、からなる。アーム部は、アーム１７０１、１７０２と、付勢手段１７０３、１７０４と、ベース１７０５と、からなる。２本のアームは軸１７０８、１７０９によってベースに固定されている。なお、アームは軸を中心に回転することができる。ベースは、アームが安定して可動するための可動用溝１７０６、１７０７を有している。また、アームのフック１７１０、１７１１は、可動用溝の中で移動する。図１７（ａ）は、はしご転倒防止装置を対象物１７１２に挿入する前の状態を示した図である。図１７（ｂ）は、はしご転倒防止装置を対象物に挿入する途中を示した図である。図１７（ｃ）は、はしご転倒防止装置を対象物に挿入した後の状態を示した図である。なお、図１７の場合には、付勢手段は引っ張り力として作用する。
【００９０】
はしご転倒防止装置を対象物に挿入していない状態では、図１７（ａ）に示すように、対象物が挿入可能なように、アームに取り付けられたフックにより、アームの先端が少し開いた状態になっている。この状態から、はしご転倒防止装置を対象物に挿入すると、徐々にアームの先端が開き、最大限アームの先端が開いた後は、付勢手段によってアームが閉じる方向に付勢される（図１７（ｂ）の状態）。さらに、はしご転倒防止装置を対象物に挿入していくと、最終的に、対象物は、付勢されたアームとベース間に固定される。
【００９１】
<実施形態２の実施例３>
【００９２】
実施例３について、図１８に基づいて説明する。
【００９３】
図１８（ａ）、（ｂ）、（ｃ）に示すのは、実施例３のはしご転倒防止装置１８００である。実施例３のはしご転倒防止装置は、アーム部と、固定部と、からなる。アーム部は、アーム１８０１、１８０２と、付勢手段１８０３、１８０４と、ベース１８０５と、からなる。２本のアームは軸１８０８、１８０９によってベースに固定されている。なお、アームは軸を中心に回転することができる。ベースは、アームが安定して可動するための可動用溝１８０６、１８０７を有している。また、アームのフック１８１０、１８１１は、可動用溝の中で移動する。図１８（ａ）は、はしご転倒防止装置を対象物１８１２に挿入する前の状態を示した図である。図１８（ｂ）は、はしご転倒防止装置を対象物に挿入する途中を示した図である。図１８（ｃ）は、はしご転倒防止装置を対象物に挿入した後の状態を示した図である。なお、図１８の場合には、付勢手段は伸張力として作用すること以外は動作的には実施例２と同様なので説明を省略する。
【００９４】
<実施形態２の効果の簡単な説明>
【００９５】
実施形態２の発明によれば、はしご転倒防止装置のアームが対象物導入手段を有する構造とすることにより、容易に柱等に装着することができる。
【００９６】
<<実施形態３>>
【００９７】
<実施形態３の概念>
【００９８】
実施形態３の発明は、対象物導入手段は、回転ローラである実施形態２に記載のはしご転倒防止装置に関する。
【００９９】
<構成要件の明示>
【０１００】
以下に、実施形態３の構成要件を明示する。
【０１０１】
図１９（ａ）、（ｂ）、（ｃ）に示すのは、実施形態３のはしご転倒防止装置１９００である。実施形態３のはしご転倒防止装置は、アーム部と、固定部と、からなる。アーム部は、アーム１９０１、１９０２と、付勢手段１９０３と、対象物導入手段と、からなる。対象物導入手段は、回転ローラ１９０４、１９０５からなる。なお、アーム部のベースと、固定部は、実施形態１と同様の構成であるので図１９には示していない。図１９（ａ）は、はしご転倒防止装置を対象物１９０６に挿入する直前の状態を示した図である。図１９（ｂ）は、はしご転倒防止装置を対象物に挿入する途中でアームが充分に開いた状態を示した図である。図１９（ｃ）は、はしご転倒防止装置を対象物に挿入する途中で、付勢されたアームが閉じていく状態を示した図である。実施形態３のはしご転倒防止装置は、対象物導入手段は、回転ローラであること以外は実施形態２と同様なので、その相違点について説明する。
【０１０２】
<構成の説明>
【０１０３】
以下に、実施形態３の構成の説明をする。
【０１０４】
（対象物導入手段）
【０１０５】
対象物導入手段は、回転ローラである。ここで「回転ローラ」は、車輪形状のものに限定されず、球状のものであってもよい。また、２本のアームの先端に１個ずつ構成されることに限定されず、複数の回転ローラで構成されていてもよい。
【０１０６】
<実施形態３の実施例１>
【０１０７】
実施例１について、図１９に基づいて説明する。
【０１０８】
対象物導入手段には、図１９に示したような、回転ローラが該当する。ここで図１９（ａ）では、２本のアームの先端は閉じた状態にある。この状態から、はしご転倒防止装置を対象物に挿入し始めると、回転ローラが付勢されたアームの先端を開く方向に作用するため、徐々にアームの先端が開いていき、図１９（ｂ）のような状態になる。さらに、はしご転倒防止装置を対象物に挿入すると、付勢されたアームによってはしご転倒防止装置に把持される（図１９（ｃ）の状態）。
【０１０９】
<実施形態３の効果の簡単な説明>
【０１１０】
実施形態３の発明によれば、対象物導入手段が回転ローラである構造とすることにより、容易に柱等に装着することができる。
【０１１１】
<<実施形態４>>
【０１１２】
<実施形態４の概念>
【０１１３】
実施形態４の発明は、対象物導入手段は、一対のアームの先端に設けられた対象物受入曲面である実施形態１から３の何れか一に記載のはしご転倒防止装置に関する。
【０１１４】
<構成要件の明示>
【０１１５】
以下に、実施形態４の構成要件を明示する。
【０１１６】
図２０（ａ）、（ｂ）、（ｃ）に示すのは、実施形態４のはしご転倒防止装置２０００である。実施形態４のはしご転倒防止装置は、アーム部と、固定部と、からなる。アーム部は、アーム２００１、２００２と、付勢手段２００３と、対象物導入手段２００４、２００５と、からなる。なお、アーム部のベースと、固定部は、実施形態１と同様の構成であるので図２０には示していない。図２０（ａ）は、はしご転倒防止装置を対象物２００６に挿入する直前の状態を示した図である。図２０（ｂ）は、はしご転倒防止装置を対象物に挿入する途中でアームが充分に開いた状態を示した図である。図２０（ｃ）は、はしご転倒防止装置を対象物に挿入する途中で、付勢されたアームが閉じていく状態を示した図である。実施形態４のはしご転倒防止装置は、対象物導入手段は、一対のアームの先端に設けられた対象物受入曲面であること以外は実施形態１から３の何れか一に記載のはしご転倒防止装置と同様なので、その相違点を説明する。
【０１１７】
<構成の説明>
【０１１８】
以下に、実施形態４の構成の説明をする。
【０１１９】
（対象物導入手段）
【０１２０】
対象物導入手段は、一対のアームの先端に設けられた対象物受入曲面である。ここで「対象物受入曲面」とは、対象物を容易に受け入れるために、なめらかな曲面形状をなしたものである。
【０１２１】
<実施形態４の実施例１>
【０１２２】
実施例１について、図２０に基づいて説明する。
【０１２３】
対象物導入手段には、図２０に示したような、対象物受入曲面が該当する。ここで図２０（ａ）では、２本のアームの先端は閉じた状態にある。この状態から、はしご転倒防止装置を対象物に挿入し始めると、対象物受入曲面が付勢されたアームの先端を開く方向に作用するため、徐々にアームの先端が開いていき、図２０（ｂ）のような状態になる。さらに、はしご転倒防止装置を対象物に挿入すると、付勢されたアームによってはしご転倒防止装置に把持される（図２０（ｃ）の状態）。
【０１２４】
<実施形態４の実施例２>
【０１２５】
図２１に示すのは、実施形態４の実施例２である。実施例２について、図２１に基づいて説明する。
【０１２６】
対象物導入手段には、図２１に示したような、対象物受入曲面が該当する。ここで図２１（ａ）では、２本のアームの先端は閉じた状態にある。この状態から、はしご転倒防止装置を対象物に挿入し始めると、対象物受入曲面が付勢されたアームの先端を開く方向に作用するため、徐々にアームの先端が開いていき、図２１（ｂ）のような状態になる。さらに、はしご転倒防止装置を対象物に挿入すると、付勢されたアームによってはしご転倒防止装置に把持される（図２１（ｃ）の状態）。
【０１２７】
<その他>
【０１２８】
なお、実施形態４は、実施形態１から３のいずれか一と組み合わせることができることはいうまでもない。例えば、実施形態４の実施例１に実施形態３の回転ローラを使用した構造も考えられる。
【０１２９】
<実施形態４の効果の簡単な説明>
【０１３０】
実施形態４の発明によれば、対象物導入手段が一対のアームの先端に設けられた対象物受入曲面である構造とすることにより、容易に柱等に装着することができる。
【０１３１】
<<実施形態５>>
【０１３２】
<実施形態５の概念>
【０１３３】
実施形態５の発明は、アームの対象物を挟み込む面である挟み込み面は、対象物との接触曲面の一部にならった曲面形状である実施形態１から４の何れか一に記載のはしご転倒防止装置に関する。
【０１３４】
<構成要件の明示>
【０１３５】
以下に、実施形態５の構成要件を明示する。
【０１３６】
図２２（ａ）、（ｂ）に示すのは、実施形態５のはしご転倒防止装置２２００である。実施形態５のはしご転倒防止装置は、アーム部と、固定部と、からなる。アーム部は、アーム２２０１、２２０２と、付勢手段２２０３と、からなる。アームは、挟み込み面２２０４、２２０５を有する。なお、アーム部のベースと、固定部は、実施形態１と同様の構成であるので図２２には示していない。図２２（ａ）は、はしご転倒防止装置を対象物２２０６に挿入する直前の状態を示した図である。図２２（ｂ）は、はしご転倒防止装置を対象物に挿入し、固定した状態を示した図である。実施形態５は、アームの対象物を挟み込む面である挟み込み面は、対象物との接触曲面の一部にならった曲面形状であること以外は実施形態１から４の何れか一に記載のはしご転倒防止装置と同様なので、その相違点を説明する。
【０１３７】
<構成の説明>
【０１３８】
以下に、実施形態５の構成の説明をする。
【０１３９】
（対象物導入手段）
【０１４０】
アームの対象物を挟み込む面である挟み込み面は、対象物との接触曲面の一部にならった曲面形状である。ここで「曲面」には、円柱状、楕円柱状、三角柱状、四角柱状、多角柱状、球面状、楕円球面状などの曲面が該当する。
【０１４１】
<実施形態５の実施例１>
【０１４２】
実施例１について、図２２に基づいて説明する。
【０１４３】
対象物導入手段には、図２２に示したような、挟み込み面が該当する。実施例１では対象物２２０６は、円柱状であるものとしている。また、２本のアームの挟み込み面は、対象物の接触曲面の一部にならった円柱形状をしている。ここで図２２（ａ）は、はしご転倒防止装置を対象物に挿入する前の状態を示している。この状態から、はしご転倒防止装置を対象物に挿入すると、対象物がアームの挟み込み面の形状と一部一致する部分で固定される（図２２（ｂ）の状態）。
【０１４４】
<その他>
【０１４５】
なお、実施形態５は、実施形態１から４のいずれか一と組み合わせることができることはいうまでもない。例えば、実施形態５の実施例１に実施形態３の回転ローラを使用した構造も考えられる。
【０１４６】
<実施形態５の効果の簡単な説明>
【０１４７】
実施形態５の発明によれば、アームの対象物を挟み込む面である挟み込み面は、対象物との接触曲面の一部にならった曲面形状である構造とすることにより、柱等に確実に装着することができる。
【０１４８】
<<実施形態６>>
【０１４９】
<実施形態６の概念>
【０１５０】
実施形態６の発明は、アームの対象物を挟み込む面である挟み込み面は、対象物に対して相対的に離れる方向への力の印加により対象物をアームから開放するための開放面をも有する実施形態１から５の何れか一に記載のはしご転倒防止装置に関する。
【０１５１】
<構成要件の明示>
【０１５２】
以下に、実施形態６の構成要件を明示する。
【０１５３】
図２３（ａ）、（ｂ）、（ｃ）に示すのは、実施形態６のはしご転倒防止装置２３００である。実施形態６のはしご転倒防止装置は、アーム部と、固定部と、からなる。アーム部は、アーム２３０１、２３０２と、付勢手段２３０３と、からなる。アームは、挟み込み面を有する。さらに挟み込み面は、開放面２３０４、２３０５を有する。なお、アーム部のベースと、固定部は、実施形態１と同様の構成であるので図２３には示していない。図２３（ａ）は、はしご転倒防止装置を対象物２３０６に挿入する直前あるいははしご転倒防止装置を対象物から抜き取った直後の状態を示した図である。図２３（ｂ）は、はしご転倒防止装置を対象物に挿入するあるいは抜き取る途中の状態を示した図である。図２３（ｃ）は、はしご転倒防止装置を対象物に挿入し、固定した状態を示した図である。実施形態６のはしご転倒防止装置は、アームの対象物を挟み込む面である挟み込み面は、対象物に対して相対的に離れる方向への力の印加により対象物をアームから開放するための開放面をも有すること以外は実施形態１から５の何れか一に記載のはしご転倒防止装置と同様なので、その相違点を説明する。
【０１５４】
<構成の説明>
【０１５５】
以下に、実施形態６の構成の説明をする。
【０１５６】
（対象物導入手段）
【０１５７】
アームの対象物を挟み込む面である挟み込み面は、対象物に対して相対的に離れる方向への力の印加により対象物をアームから開放するための開放面をも有する。
【０１５８】
<実施形態６の実施例１>
【０１５９】
実施例１について、図２３に基づいて説明する。
【０１６０】
挟み込み面は、図２３に示したような、開放面を有する。図２３（ａ）は、はしご転倒防止装置を対象物に挿入する前の状態を示している。この状態から、はしご転倒防止装置を対象物に挿入すると、アームの先端が開き図２３（ｂ）の状態となる。さらに、挿入を続けると、この状態から、はしご転倒防止装置を対象物に挿入すると、対象物がはしご転倒防止装置に把持される（図２３（ｃ）の状態）。次に、図２３（ｃ）の状態から、対象物をはしご転倒防止装置から抜き取る方向に力を加えると、再び、アームの先端が開き、図２３（ｂ）の状態となる。この状態から少し力を加えると、解放面の効果によって対象物をアームから開放する方向に力が加わるため、その後は力を加えずに、対象物ははしご転倒防止装置から外れる（図２３（ａ）の状態）。
【０１６１】
図２４に示すのは、実施例１のはしご転倒防止装置を径の異なる円柱状の対象物に固定した状態を示した図である。
【０１６２】
<その他>
【０１６３】
なお、実施形態６は、実施形態１から５のいずれか一と組み合わせることができることはいうまでもない。例えば、実施形態６の実施例１に実施形態３の回転ローラを使用した構造も考えられる。
【０１６４】
<実施形態６の効果の簡単な説明>
【０１６５】
実施形態６の発明によれば、アームの対象物を挟み込む面である挟み込み面は、対象物に対して相対的に離れる方向への力の印加により対象物をアームから開放するための開放面をも有する構造とすることにより、容易に柱等に装着することができるだけでなく、はずすことも容易となる。
【０１６６】
<<実施形態７>>
【０１６７】
<実施形態７の概念>
【０１６８】
実施形態７の発明は、力の印加のための引っ張り紐手段を有する実施形態１から６の何れか一に記載のはしご転倒防止装置に関する。
【０１６９】
<構成要件の明示>
【０１７０】
以下に、実施形態７の構成要件を明示する。
【０１７１】
図２５に示すのは、実施形態７のはしご転倒防止装置２５００である。はしご転倒防止装置は、アーム部２５０１と、固定部２５０２と、からなる。アーム部は、アーム２５０３、２５０４と、付勢手段２５０５と、引っ張り紐手段２５０６と、からなる。実施形態７は、力の印加のための引っ張り紐手段を有すること以外は実施形態１から６の何れか一に記載のはしご転倒防止装置と同様なので、その相違点を説明する。
【０１７２】
<構成の説明>
【０１７３】
以下に、実施形態７の構成の説明をする。
【０１７４】
（引っ張り紐手段）
【０１７５】
引っ張り紐手段は、力の印加のために使用される。一例として、はしご転倒防止装置を柱等からはずすときに使用することができる。引っ張り紐手段を利用することにより、はしご転倒防止装置に効果的にはずす方向に力を加えることができる。
【０１７６】
図２６に示すのは、引っ張り紐手段を使用して、はしご転倒防止装置を柱等からはずしている様子を示す図である。
【０１７７】
<実施形態７の実施例１>
【０１７８】
実施例１について、図３２に基づいて説明する。
【０１７９】
図３２（ａ）は、はしご転倒防止装置が、アーム３２０１、３２０２と、付勢手段３２０３と、で対象物３２０６を把持している状態を示している。また、固定部３２０４ははしごに固定されている。この状態から、引っ張り紐手段３２０５の紐を引っ張ると、アームが開く方向に力が加わるため、アームの先端が開き図３２（ｂ）の状態となり、容易に対象物ははしご転倒防止装置から外れる。
【０１８０】
<その他>
【０１８１】
なお、実施形態７は、実施形態１から６のいずれか一と組み合わせることができることはいうまでもない。
【０１８２】
<実施形態７の効果の簡単な説明>
【０１８３】
実施形態７の発明によれば、力の印加のための引っ張り紐手段を有する構造とすることにより、柱等からはずすことが容易となる。
【０１８４】
<<実施形態８>>
【０１８５】
<実施形態８の概念>
【０１８６】
実施形態８の発明は、一対のアームは、その長手方向が、はしごの主柱に対して、略１０５度である実施形態１から７の何れか一に記載のはしご転倒防止装置に関する。
【０１８７】
図２７に示すのは、実施形態８のはしご転倒防止装置である。はしご転倒防止装置は、一対のアームは、その長手方向が、はしごの主柱に対して、略１０５度である。
【０１８８】
<構成要件の明示>
【０１８９】
以下に、実施形態８の構成要件を明示する。
【０１９０】
図２９に示すのは、実施形態８のはしご転倒防止装置をはしごの主柱に対して略１０５度で固定した状態を示した図である。実施形態８のはしご転倒防止装置は、アーム部と、固定部２９０３と、からなる。一例として、アーム部は、アーム２９０１と、ベース２９０２と、付勢手段と、からなる。また、一例として固定部は、角度固定用部材２９０４を有する。ここで、はしごの主柱内の点線で表したのは、はしごの階段を示している。実施形態８は、一対のアームは、その長手方向が、はしごの主柱２９０５に対して、略１０５度であること以外は実施形態１から７の何れか一に記載のはしご転倒防止装置と同様なので、その相違点を説明する。
【０１９１】
<構成の説明>
【０１９２】
以下に、実施形態８の構成の説明をする。
【０１９３】
（固定部）
【０１９４】
固定部は、一対のアームは、その長手方向が、はしごの主柱に対して、略１０５度であるようにはしごに固定される。一例として、図２９に示したように、固定部に角度固定用部材を取り付けることにより、はしごの主柱等に対して、略１０５度であるように固定することができる。ここで「略１０５度であるように固定する」とは、１００度から１１０度の間で固定することをいう。しかしながら、略１０５度に限定されず、上記角度は自由に変更できるようにしてもよい。
【０１９５】
<その他>
【０１９６】
なお、実施形態８は、実施形態１から７のいずれか一と組み合わせることができることはいうまでもない。
【０１９７】
<実施形態８の効果の簡単な説明>
【０１９８】
実施形態８の発明によれば、一対のアームは、その長手方向が、はしごの主柱に対して、略１０５度である構造とすることにより、はしごの柱等への固定が安定する。
【０１９９】
<<実施形態９>>
【０２００】
<実施形態９の概念>
【０２０１】
実施形態９の発明は、固定部は、アーム部をはしごの主柱に対して平行方向に折りたたむための折り畳み手段を有する実施形態１から８の何れか一に記載のはしご転倒防止装置に関する。
【０２０２】
図３０に示すのは、実施形態９のはしご転倒防止装置を折りたたんでいる様子を示した図である。
【０２０３】
<構成要件の明示>
【０２０４】
以下に、実施形態９の構成要件を明示する。
【０２０５】
図３１に示すのは、実施形態９のはしご転倒防止装置である。実施形態９のはしご転倒防止装置は、アーム部と、固定部３１０３とからなる。アーム部は、アーム３１０１と、ベース３１０２と、付勢手段と、からなる。また、固定部は、折り畳み手段を有する。ここで、はしごの主柱内の点線で表したのは、はしごの階段を示している。実施形態９は、固定部は、アーム部をはしごの主柱に対して平行方向に折りたたむための折り畳み手段を有すること以外は実施形態１から８の何れか一に記載のはしご転倒防止装置と同様なので、その相違点を説明する。
【０２０６】
<構成の説明>
【０２０７】
以下に、実施形態９の構成の説明をする。
【０２０８】
（固定部）
【０２０９】
固定部は、アーム部をはしごの主柱に対して平行方向に折りたたむための折り畳み手段を有する。一例として、折り畳み手段は、図３１に示すように、折りたたみよう回転軸３１０４を有する。折りたたみよう回転軸は、一例として、ボルトとナットなどで構成される。折りたたみよう回転軸の周りに反時計回りに回転することにより、はしご転倒防止装置をはしごに折りたたむことができる。なお、図３１に示すように、ベースと固定部が面接触する時計回りには、回転しないため安定性も確保できる。
【０２１０】
<その他>
【０２１１】
なお、実施形態９は、実施形態１から８のいずれか一と組み合わせることができることはいうまでもない。
【０２１２】
<実施形態９の効果の簡単な説明>
【０２１３】
実施形態９の発明によれば、固定部は、アーム部をはしごの主柱に対して平行方向に折りたたむための折り畳み手段を有する構造とすることにより、使用しないときははしごに付けたまま折り畳んでしまうことができる。
【０２１４】
<<実施形態１０>>
【０２１５】
<実施形態１０の概念>
【０２１６】
実施形態１０の発明は、対象物は、電信柱状物である実施形態１から９の何れか一に記載のはしご転倒防止装置に関する。実施形態１０は、対象物は、電信柱状物であること以外は実施形態１から９の何れか一に記載のはしご転倒防止装置と同様なので説明を省略する。
【０２１７】
図２８に示すのは、実施形態１０のはしご転倒防止装置であり、電信柱に固定した状態をはしごの正面から見た図である。
【０２１８】
<その他>
【０２１９】
なお、実施形態１０は、実施形態１から９のいずれか一と組み合わせることができることはいうまでもない。
【０２２０】
<実施形態１０の効果の簡単な説明>
【０２２１】
実施形態１０の発明によれば、電信柱状物である対象物に使用することができる。
【産業上の利用可能性】
【０２２２】
本件発明は、横ぶれして横に倒れることや、うしろに倒れることを防止するために、はしごや脚立などに使用可能である。
【図面の簡単な説明】
【０２２３】
【図１】本件発明のはしご転倒防止装置をはしごに装着した状態の一例を示す図
【図２】実施形態１のはしご転倒防止装置の平面図
【図３】実施形態１のはしご転倒防止装置（対象物が有る場合）の平面図
【図４】実施形態１のはしご転倒防止装置（実施例１）の平面図
【図５】実施形態１のはしご転倒防止装置（実施例２）の平面図
【図６】実施形態１のはしご転倒防止装置（実施例３）の平面図
【図７】実施形態１のはしご転倒防止装置（実施例４）の平面図
【図８】実施形態１のはしご転倒防止装置（実施例５）の平面図
【図９】実施形態１のはしご転倒防止装置（実施例６）の平面図
【図１０】実施形態１のはしご転倒防止装置（実施例７）の平面図
【図１１】実施形態１のはしご転倒防止装置（実施例８）の平面図
【図１２】実施形態１のはしご転倒防止装置を柱にあてがっているところを示す図
【図１３】実施形態１のはしご転倒防止装置を柱に固定しているところを示す図
【図１４】はしごが横ぶれして横に倒れる様子を示した図
【図１５】はしごがうしろに倒れる様子を示した図
【図１６】実施形態２のはしご転倒防止装置（実施例１）の平面図
【図１７】実施形態２のはしご転倒防止装置（実施例２）の平面図
【図１８】実施形態２のはしご転倒防止装置（実施例３）の平面図
【図１９】実施形態３のはしご転倒防止装置（実施例１）の平面図
【図２０】実施形態４のはしご転倒防止装置（実施例１）の平面図
【図２１】実施形態４のはしご転倒防止装置（実施例２）の平面図
【図２２】実施形態５のはしご転倒防止装置（実施例１）の平面図
【図２３】実施形態６のはしご転倒防止装置（実施例１）の平面図
【図２４】実施形態６のはしご転倒防止装置（実施例１）が異なる径の対象物を把持した状態を示す平面図
【図２５】実施形態７のはしご転倒防止装置の平面図
【図２６】実施形態７の引っ張り紐手段を使用して柱等からはずしている様子を示す図
【図２７】実施形態８のはしご転倒防止装置を使用している様子を示す図
【図２８】実施形態１０のはしご転倒防止装置を説明する図
【図２９】実施形態８のはしご転倒防止装置を説明する図
【図３０】実施形態９のはしご転倒防止装置を折りたたんでいる様子を示す図
【図３１】実施形態９のはしご転倒防止装置を説明する図
【図３２】実施形態７のはしご転倒防止装置（実施例１）の平面図
【符号の説明】
【０２２４】
０２００  はしご転倒防止装置
０２０１  アーム部
０２０２  固定部
０２０３  アーム
０２０４  アーム
０２０５  付勢手段
０２０６  ベース
【図１】
2005113382.tif 000003
【図２】
2005113382.tif 000004
【図３】
2005113382.tif 000005
【図４】
2005113382.tif 000006
【図５】
2005113382.tif 000007
【図６】
2005113382.tif 000008
【図７】
2005113382.tif 000009
【図８】
2005113382.tif 000010
【図９】
2005113382.tif 000011
【図１０】
2005113382.tif 000012
【図１１】
2005113382.tif 000013
【図１２】
2005113382.tif 000014
【図１３】
2005113382.tif 000015
【図１４】
2005113382.tif 000016
【図１５】
2005113382.tif 000017
【図１６】
2005113382.tif 000018
【図１７】
2005113382.tif 000019
【図１８】
2005113382.tif 000020
【図１９】
2005113382.tif 000021
【図２０】
2005113382.tif 000022
【図２１】
2005113382.tif 000023
【図２２】
2005113382.tif 000024
【図２３】
2005113382.tif 000025
【図２４】
2005113382.tif 000026
【図２５】
2005113382.tif 000027
【図２６】
2005113382.tif 000028
【図２７】
2005113382.tif 000029
【図２８】
2005113382.tif 000030
【図２９】
2005113382.tif 000031
【図３０】
2005113382.tif 000032
【図３１】
2005113382.tif 000033
【図３２】
2005113382.tif 000034